(57)【要約】【課題】  本発明は、前面フレームに設けられているネジを回すだけの簡単な操作で、前面フレームを画像表示装置に確実に取付けることができ、また、交換も簡単に行うことができる前面フレームおよび該前面フレームを備えた画像表示装置を提供する。【解決手段】  画像表示装置の前面部に着脱可能な前面フレーム６であって、画像表示装置の表示部に相当する位置に開口部８を有する枠部材７と、枠部材７の裏面に設けられ、画像表示装置の筐体に係合可能な係合部材１２〜１４と、係合部材１２〜１４を枠部材７に取付けるネジ部材１６とを有し、係合部材１２〜１４は、枠部材の裏面に対して斜面状に形成された面と、該面に形成された長孔状のネジ部材１６の貫通孔とを有し、係合部材１２〜１４は、ネジ部材１６の回動に応じて、貫通孔の長手方向に沿って、画像表示装置の筐体と係合する係合位置と係合が解除される非係合位置へ移動することを特徴とする。【選択図】  図３
2006025063.tif 000002
【特許請求の範囲】
【請求項１】
画像表示装置の前面部に着脱可能な前面フレームであって、
前記画像表示装置の表示部に相当する位置に開口部を有する枠部材と、
前記枠部材の裏面に設けられ、前記画像表示装置の筐体に係合可能な係合部材と、
前記係合部材を前記枠部材に取付けるネジ部材とを有し、
前記係合部材は、前記枠部材の裏面に対して斜面状に形成された面と、該面に形成された長孔状の前記ネジ部材の貫通孔とを有し、
前記係合部材は、前記ネジ部材の回動に応じて、前記貫通孔の長手方向に沿って、前記画像表示装置の筐体と係合する係合位置と係合が解除される非係合位置へ移動することを特徴とする前面フレーム。
【請求項２】
前記係合部材は、少なくとも前記枠部材の下辺部に設けられ、前記枠部材の上辺部には、前記枠部材を前記画像表示装置の筐体上部に係止する係止部材が設けられていることを特徴とする請求項１に記載の前面フレーム。
【請求項３】
前記開口部には、前記画像表示装置の前記表示部を視認可能な透明部材が設けられていることを特徴とする請求項１または２に記載の前面フレーム。
【請求項４】
請求項１乃至３のいずれかに記載の前面フレームを備えたことを特徴とする画像表示装置。
【発明の詳細な説明】
【技術分野】
【０００１】
本発明は、液晶テレビ等の画像表示装置の前面部に着脱可能な前面フレームおよび該前面フレームを備えた画像表示装置に関する。
【背景技術】
【０００２】
近年、テレビジョン受像機（テレビ）は、液晶テレビやプラズマテレビ等のように薄型化や大型化が進む一方、デザイン的にも優れたものが増え、部屋のインテリアとしての機能も果たすようになって来ている。
そこで、テレビの前面部のデザイン性を高めて高級感等を付与するために、テレビの前面部に取付けることができる前面フレームが知られている。例えば、木製、ガラス製、陶磁器製等で表面に加飾が施された前面フレームを、両面接着テープや磁石により、テレビの前面部に取付けるものが知られている（特許文献１）。
【特許文献１】実用新案登録第３０７３２９３号公報
【０００３】
また、両面接着テープや磁石ではなく、前面フレームとテレビの前面部を取付金具を用いてネジで固定するものも知られている。図１３、１４に、その取付手順を説明するための断面図を示す。取付金具２２とネジ２３は、前面フレーム２１とは別個の部品として存在する。図１３の状態からネジ２３で取付金具２２を前面フレーム２１に固定することにより、取付金具２２がテレビ２０の周辺部に係合し、図１４に示すように前面フレーム２１はテレビ２０に固定される。前面フレーム２１の左右側についても、同様の取付金具２２により固定される。なお、取付金具２２はそれぞれ、テレビ２０の横方向または縦方向に所定の長さを有しているものである。
【発明の開示】
【発明が解決しようとする課題】
【０００４】
しかしながら、前面フレームを両面接着テープにより取付ける場合は、前面フレームの重量や接着力の低下等により確実な取付けが維持できないものであった。また、前面フレームを交換する場合においても、両面接着テープをきれいに取り外すことが難しく、再度使用する場合は前面フレームに両面接着テープを張り直さなければならないので、非常に手間のかかるものであった。磁石により取付ける場合でも、移動する時に手で力を加えてしまったりする等、外部からの衝撃で前面フレームの位置がずれたり、外れたりしてしまう危険性があり、やはり確実な取付けが維持できないものであった。
また、前面フレームを取付金具とネジにより取付ける場合は、取付金具やネジが前面フレームと別個の部品として存在しているため、作業性が悪く、取付金具やネジを紛失してしまうという危険性があった。
本発明は、このような問題点に鑑みなされたものであり、前面フレームに設けられているネジを回すだけの簡単な操作で、前面フレームを画像表示装置に確実に取付けることができ、また、交換も簡単に行うことができる前面フレームおよび該前面フレームを備えた画像表示装置を提供するものである。
【課題を解決するための手段】
【０００５】
本発明は、画像表示装置の前面部に着脱可能な前面フレームであって、前記画像表示装置の表示部に相当する位置に開口部を有する枠部材と、前記枠部材の裏面に設けられ、前記画像表示装置の筐体に係合可能な係合部材と、前記係合部材を前記枠部材に取付けるネジ部材とを有し、前記係合部材は、前記枠部材の裏面に対して斜面状に形成された面と、該面に形成された長孔状の前記ネジ部材の貫通孔とを有し、前記係合部材は、前記ネジ部材の回動に応じて、前記貫通孔の長手方向に沿って、前記画像表示装置の筐体と係合する係合位置と係合が解除される非係合位置へ移動することを特徴とする。
前記係合部材は、少なくとも前記枠部材の下辺部に設けられ、前記枠部材の上辺部には、前記枠部材を前記画像表示装置の筐体上部に係止する係止部材が設けられていることを特徴とする。
前記開口部には、前記画像表示装置の前記表示部を視認可能な透明部材が設けられていることを特徴とする。
本発明の画像表示装置は、前記のいずれかに記載の前面フレームを備えたことを特徴とする。
【発明の効果】
【０００６】
本発明は、前面フレームに設けられているネジを回すだけの簡単な操作で、前面フレームを画像表示装置に確実に取付けることができ、また、交換も簡単に行うことができる前面フレームおよび該前面フレームを備えた画像表示装置を提供することができる。
また、前面フレームを取付けるための係合部材やネジを前面フレームから外すことなく着脱作業が行えるため、作業性に優れ、係合部材やネジを紛失してしまうという危険性をなくすことができる。
【発明を実施するための最良の形態】
【０００７】
次に、本発明の内容を詳細に説明するが、本発明はこれら実施の形態に何ら限定されるものではない。
【０００８】
図１は、本発明の前面フレームを取付ける画像表示装置である液晶テレビ１の正面図である。液晶テレビ１は、表示部である液晶パネル２、スピーカ部３、リモコン受光部４、筐体５等から構成され、図１では液晶パネル２に犬の映像が表示されている状態を示す。なお、本発明の画像表示装置は、液晶テレビに限定されるものではなく、プラズマディスプレイやＣＲＴを用いたテレビ等のように他のテレビやディスプレイでも勿論構わない。
【０００９】
図２は、本発明の前面フレーム６の正面図である。前面フレーム６は、枠部材７で構成され、液晶テレビ１の液晶パネル２、スピーカ部３、リモコン受光部４に相当する位置に、それぞれ開口部８、９、１０が形成されている。なお、図示はしていないが、液晶テレビ１に設けられる電源ランプや周囲の明るさを感知するセンサ等のように、前面フレーム６で覆われると不都合な位置には、適宜開口部を形成することができる。枠部材７は、例えば、木目が表面に表れて自然な趣を与える木製のものや、表面を革張りまたは漆塗り等で仕上げて高級感を与えるもの等、様々な材質、加工により作成することができる。
【００１０】
図３は、図２の前面フレーム６の背面図である。図４は、図３のＡ−Ａ破線における前面フレーム６の断面図である。枠部材７の裏面には、係止部材１１および係合部材１２乃至１４が設けられている。係止部材１１は、ネジ１５により枠部材７に固定されている。係合部材１２、１３、１４は、ネジ１６により移動可能に枠部材７に設けられている。図５および図６は、係合部材１２、１３の部分的拡大図である。係合部材１２には斜め方向に長孔１７が設けられており、ネジ１６は長孔１７を貫通して取付けられている。係合部材１３には上下方向に長孔が設けられており、ネジ１６は長孔１７を貫通して取付けられている。係合部材１４は、係合部材１２と対称的に構成されているものであり、拡大図は省略する。なお、長孔１７の方向は図５、図６に限定されるものではない。
【００１１】
図４の断面図における、係合部材１３、ネジ１６の部分の拡大図を図７に示す。ネジ１６は雄ネジとして形成され、枠部材７に形成された雌ネジ部に噛み合い移動可能に構成されている。係合部材１３の長孔１７が形成されネジ１６の頭部が接する面は、枠部材７の裏面に対して斜面１８として形成されている。以上のような構成により、係合部材１３は、ネジ１６のねじ込み状態に応じて、長孔１７の長手方向に沿って上下方向へ移動する。図７は、ネジ１６をゆるめた状態を示す図で、係合部材１３は最も下方位置にある。図８は、図７の状態からネジ１６をねじ込んだ状態を示す図で、係合部材１３は図７の位置から上方へ移動して最も上方位置にある。係合部材１２、１４についても、係合部材１３と同様の構成であり、ネジ１６のねじ込み状態に応じて左右方向へ移動するように構成されている。
【００１２】
図９乃至図１１は、前面フレーム６を液晶テレビ１に取付ける手順を示すための側面図である。
まず、図９に示すように、前面フレーム６の係止部材１１を液晶テレビ１の筐体上部の取付部１９に引っ掛けて、前面フレーム６の上部を液晶テレビ１に係止して図１０の状態にする。この時、係合部材１３は図７に示した最も下方位置の状態にあるので、液晶テレビ１の下部にぶつかって障害となることはない。係合部材１２、１４についても、係合部材１３と同様の位置にあるので、液晶テレビ１の左右にぶつかって障害となることはない。
図１０の状態からネジ１６をねじ込むと、係合部材１３は上方へ移動して図８の状態になり、図１１に示すように液晶テレビ１の筐体下部の取付部１９に係合して固定される。このようにして、係合部材１３のネジ１６をねじ込むだけの作業で、上下方向の取付作業が終了する。同様の手順で、前面フレーム６の左右の係合部材１２、１４についても、ネジ１６をねじ込んで液晶テレビ１の左右方向の取付部（不図示）に係合させて固定する。以上の作業により、前面フレーム６は、液晶テレビ１の前面部に確実に取付けられることになる。
図１２は、前面フレーム６を取付けた状態の液晶テレビ１の正面図であり、前面フレーム６の材質や表面の加工により、前面フレーム６を取付けない場合とは全く異なる印象を与えるものである。
【００１３】
前面フレーム６を外す場合は、係合部材１２乃至１４の各ネジ１６をゆるめて係合部材１２乃至１４の位置を移動させ、液晶テレビ１の取付部１９との係合を解除することにより、前面フレーム６を外すことができる。従って、前面フレーム６の交換も非常に簡単に行えるものである。
【００１４】
以上述べたように、本発明は、ネジ１６を回すだけという簡単な操作で確実に取付けができるので、非常に作業性に優れているものである。
また、係合部材１２乃至１４がネジ１６により予め前面フレーム６に取付けられていて、前面フレーム６の取付け、取外しに際して、ネジ１６と係合部材１２乃至１４を前面フレーム６から外さずに作業を行うことができるので、作業性に優れ、ネジ１６や係合部材１２乃至１４を紛失してしまうという問題を解決することができるものである。
【００１５】
なお、上記の実施の形態では、係止部材１１はネジ１５により固定されていて、係合部材１２乃至１４のように移動可能には構成されていないが、係止部材１１を係合部材１２乃至１４と同様の構成にしてもよい。その場合は、予めネジをねじ込んだ状態で取付けておくことにより、取付位置に固定しておくことができる。そのようにすれば、係止部材と係合部材の部品の共通化が図れるため、コスト削減に寄与することができる。
【００１６】
また、図３に示した前面フレーム６では、係止部材１１および係合部材１２乃至１４が枠部材７の各辺にほぼ対応する長さを有しているが、本発明はこれに限定されるものではない。例えば、図３よりも短い長さにすれば、材料を削減することができ、係止部材１１および係合部材１２乃至１４の長さに応じて、取付ける個数や場所を任意に設定することができる。
【００１７】
また、前面フレーム６の液晶パネル２の位置に相当する開口部８には、透明なアクリル板等を設けてもよく、そうすることにより液晶パネル２を保護することができる。アクリル板の表面を特殊コーティングすれば、反射防止や静電気防止等の効果も得ることができる。
【図面の簡単な説明】
【００１８】
【図１】本発明の実施の形態にかかる液晶テレビの正面図。
【図２】本発明の実施の形態にかかる前面フレームの正面図。
【図３】図２の前面フレームの背面図。
【図４】図３の前面フレームのＡ−Ａ破線における断面図。
【図５】図３の係合部材１２の一部拡大図。
【図６】図３の係合部材１３の一部拡大図。
【図７】図４の係合部材１３の部分の一部拡大図。
【図８】図７においてネジをねじ込んだ状態を示す一部拡大図。
【図９】本発明の実施の形態にかかる前面フレームを液晶テレビに取付ける手順を説明するための側面図。
【図１０】本発明の実施の形態にかかる前面フレームを液晶テレビに取付ける手順を説明するための側面図。
【図１１】本発明の実施の形態にかかる前面フレームを液晶テレビに取付ける手順を説明するための側面図。
【図１２】前面フレームを取付けた液晶テレビの正面図。
【図１３】従来の前面フレームを液晶テレビに取付ける手順を示す側面図。
【図１４】従来の前面フレームを液晶テレビに取付ける手順を示す側面図。
【符号の説明】
【００１９】
１      液晶テレビ（画像表示装置）
２      液晶パネル（表示部）
３      スピーカ部
４      リモコン受光部
５      筐体
６      前面フレーム
７      枠部材
８      開口部
９      開口部
１０    開口部
１１    係止部材
１２    係合部材
１３    係合部材
１４    係合部材
１５    ネジ
１６    ネジ（ネジ部材）
１７    長孔（貫通孔）
１８    斜面
１９    取付部
２０    テレビ
２１    前面フレーム
２２    取付金具
２３    ネジ
【図１】
2006025063.tif 000003
【図２】
2006025063.tif 000004
【図３】
2006025063.tif 000005
【図４】
2006025063.tif 000006
【図５】
2006025063.tif 000007
【図６】
2006025063.tif 000008
【図７】
2006025063.tif 000009
【図８】
2006025063.tif 000010
【図９】
2006025063.tif 000011
【図１０】
2006025063.tif 000012
【図１１】
2006025063.tif 000013
【図１２】
2006025063.tif 000014
【図１３】
2006025063.tif 000015
【図１４】
2006025063.tif 000016